(57)【要約】【課題】  音響信号のパターンを熟知したオペレータを必要とせずに、音響信号を自動的に取り出して汽笛の吹鳴を可能とし、且つ音響信号の設定パターンを変更可能にする。【解決手段】  音響装置Ｐから吹鳴信号を発信する吹鳴信号パターンのデータを、当該吹鳴信号パターンのデータ設定・書き込みプログラムをインストールした外部端末１７によって書き込み可能とした発信装置１を備える。発信装置１は、全体機能を集約して制御するＣＰＵ制御部２と、外部端末を接続するデータ通信入出力部３と、吹鳴信号パターンのデータを記憶格納するデータ記憶部４と、吹鳴信号のパターン選択スイッチ５Ａ、速度設定スイッチ５Ｂ、単発吹鳴動作スイッチ５Ｃ、連続吹鳴動作スイッチ５Ｄそれぞれのスイッチ動作を可能としたパネル面スイッチ入力部５とを備える。【選択図】      図２
2006151012.tif 000002
【特許請求の範囲】
【請求項１】
音響装置から吹鳴信号を発信させる吹鳴信号パターンのデータを、当該吹鳴信号パターンのデータ設定・書き込みプログラムをインストールした外部端末によって書き込み可能とした発信装置を備えたことを特徴とする音響信号自動発信装置。
【請求項２】
発信装置は、当該発信装置全体の機能を集約して制御するＣＰＵ制御部と、外部端末を接続させるデータ通信入出力部と、吹鳴信号パターンのデータを記憶格納するデータ記憶部と、吹鳴信号のパターン選択スイッチ、速度設定スイッチ、単発吹鳴動作スイッチ、連続吹鳴動作スイッチそれぞれのスイッチ動作を可能としたパネル面スイッチ入力部とを備え、パネル面スイッチ入力部のスイッチ動作によって、データ記憶部に記憶格納されている吹鳴信号パターンのデータをＣＰＵ制御部から接点出力部に送り、当該吹鳴信号パターンに応じた吹鳴信号を電子ホーンから発信させるものとした請求項１記載の音響信号自動発信装置。
【請求項３】
ＣＰＵ制御部は、液晶表示器を動作させる表示部を備え、吹鳴信号パターンのデータをデータ記憶部に記憶格納した際には、表示部はこのデータを液晶表示器に表示させるものとした請求項２記載の音響信号自動発信装置。
【発明の詳細な説明】
【技術分野】
【０００１】
本発明は、例えば電子ホーン等の音響装置を搭載した警備・警戒・取締等の保安を目的とした船艇（以下、取締船と略称する）の他船に対する通信手段として、国際海事機関の採択した国際信号書に規定する音響信号を自動で行うための音響信号自動発信装置（以下、発信装置と略称する）に関するものである。
【背景技術】
【０００２】
近年、取締船から他船に警告等の信号を送る手段としては、点滅ライトを使用する場合があるが、海上で濃霧や嵐等が発生した場合には、この点滅ライトの視界が小さくなり、その視認は困難なものとなる。そこで、従来から、音響信号の吹鳴方法として汽笛吹鳴用の例えば押しボタン式等のスイッチを使用し、人の手でこのスイッチを押すことで汽笛を吹鳴させる手動吹鳴方式が利用される。
【０００３】
この他、例えばコントローラ等で数種類の音響信号を予め設定しておき、必要な時にこの設定された音響信号を自動的に取り出して汽笛を吹鳴させる自動吹鳴方式を備えた自動吹鳴装置も利用されている。
【特許文献１】特になし
【発明の開示】
【発明が解決しようとする課題】
【０００４】
しかしながら、従来におけるような手動吹鳴方式の場合には、汽笛の吹鳴に際し専属のオペレータを予め待機させるか、他の作業をしている者が兼務するかすることになり、いずれにしてもその音響信号のパターンを憶えておく必要がある。
【０００５】
また自動吹鳴方式を備えた自動吹鳴装置の場合には、いったんコントローラ等で音響信号を設定してしまうと、ユーザー側で自由に音響信号の種類を変更することができないものとなっていた。
【０００６】
そこで本発明は叙上のような従来存した諸事情に鑑み創出されたもので、音響装置の吹鳴信号のパターンを熟知した専属のオペレータがいなくても、必要な時に人の手でスイッチを押すことで吹鳴信号パターンを自動的に取り出して汽笛を吹鳴させることができ、しかも吹鳴信号パターンの設定を容易に変更することができる音響信号自動発信装置を提供することを目的とする。
【課題を解決するための手段】
【０００７】
上述した課題を解決するため、本発明にあっては音響装置Ｐから吹鳴信号を発信させる吹鳴信号パターンのデータを、当該吹鳴信号パターンのデータ設定・書き込みプログラムをインストールした外部端末によって書き込み可能とした発信装置１を備えたものである。
発信装置１は、当該発信装置１全体の機能を集約して制御するＣＰＵ制御部２と、外部端末を接続させるデータ通信入出力部３と、吹鳴信号パターンのデータを記憶格納するデータ記憶部４と、吹鳴信号のパターン選択スイッチ５Ａ、速度設定スイッチ５Ｂ、単発吹鳴動作スイッチ５Ｃ、連続吹鳴動作スイッチ５Ｄそれぞれのスイッチ動作を可能としたパネル面スイッチ入力部５とを備え、パネル面スイッチ入力部５のスイッチ動作によって、データ記憶部４に記憶格納されている吹鳴信号パターンのデータをＣＰＵ制御部２から接点出力部６に送り、当該吹鳴信号パターンに応じた吹鳴信号を電子ホーンから発信させるものとして構成することができる。
ＣＰＵ制御部２は、液晶表示器１３を動作させる表示部７を備え、吹鳴信号パターンのデータをデータ記憶部４に記憶格納した際には、表示部７はこのデータを液晶表示器１３に表示させるものとすることができる。
【０００８】
以上のように構成された本発明に係る発信装置１にあって、データ設定・書き込みプログラムのインストールによって書き込まれた外部端末は、吹鳴信号パターンのデータをデータ通信入出力部３を通じてＣＰＵ制御部２に送ると同時に、当該吹鳴信号パターンのデータを、ＣＰＵ制御部２に接続されているデータ記憶部４に記憶格納させる。
発信装置１のパネル面スイッチ入力部５は、パターン選択スイッチ５Ａのスイッチ動作によって、発信装置１に書き込んでいる例えば１から１０までの複数の吹鳴信号パターンのうちのいずれか一つを選択させる。このとき、パターン選択スイッチ５Ａを押す毎に、吹鳴信号パターンの例えば「Ｐ−０１」から「Ｐ−１０」までをカウントダウンして液晶表示器１３に表示させ、最後の「Ｐ−１０」が表示されているときにパターン選択スイッチ５Ａを押すと最初の「Ｐ−０１」に戻って液晶表示器１３に表示させる。
また、速度設定スイッチ５Ｂのスイッチ動作によって、吹鳴・休止時間を設定させる。このとき、速度設定スイッチ５Ｂを押す毎に、液晶表示器１３に表示される速度の表示が例えば「ソクド[１．０］」、「ソクド[０．５］」、「ソクド[０．３]」とカウントダウンして液晶表示器１３に表示させ、最後の「ソクド[０．３]」が表示されているときに速度設定スイッチ５Ｂを押すと最初の「ソクド[１．０］」に戻って液晶表示器１３に表示させる。
さらに、単発動作スイッチのスイッチ動作によって、パターン選択スイッチ５Ａで選択した吹鳴信号を音響装置Ｐである電子ホーンから例えば１サイクルだけ吹鳴した後、当該吹鳴を自動的に停止させる。そして、連続動作スイッチのスイッチ動作によって、パターン選択スイッチ５Ａで選択した吹鳴信号を電子ホーンから連続して吹鳴させる。このとき、吹鳴途中でいずれかのスイッチを押すことで吹鳴動作を停止させる。
【発明の効果】
【０００９】
本発明によれば、音響装置Ｐの吹鳴信号のパターンを熟知した専属のオペレータがいなくても、必要な時に人の手でスイッチを押すことで吹鳴信号パターンを自動的に取り出して所定内容の意味を有する断続音のパターンの汽笛を吹鳴させることができ、しかも吹鳴信号パターンの設定を容易に変更することができる。
【００１０】
すなわち、これは本発明が、音響装置Ｐから吹鳴信号を発信させる吹鳴信号パターンのデータを、当該吹鳴信号パターンのデータ設定・書き込みプログラムをインストールした外部端末によって書き込み可能とした発信装置１を備えたからであり、これにより、吹鳴信号の設定パターンを自由に変更することができる。
【００１１】
発信装置１は、当該発信装置１全体の機能を集約して制御するＣＰＵ制御部２と、外部端末を接続させるデータ通信入出力部３と、吹鳴信号パターンのデータを記憶格納するデータ記憶部４と、吹鳴信号のパターン選択スイッチ５Ａ、速度設定スイッチ５Ｂ、単発吹鳴動作スイッチ５Ｃ、連続吹鳴動作スイッチ５Ｄそれぞれのスイッチ動作を可能としたパネル面スイッチ入力部５とを備え、パネル面スイッチ入力部５のスイッチ動作によって、データ記憶部４に記憶格納されている吹鳴信号パターンのデータをＣＰＵ制御部２から接点出力部６に送り、当該吹鳴信号パターンに応じた吹鳴信号を電子ホーンから発信させるものとして構成したので、吹鳴信号の設定パターンの変更がリアルタイムで容易に行えるものとなり、しかも必要な時に吹鳴信号パターンを取り出して汽笛を吹鳴させることができる。
【００１２】
ＣＰＵ制御部２は、液晶表示器１３を動作させる表示部７を備え、吹鳴信号パターンのデータをデータ記憶部４に記憶格納した際には、表示部７はこのデータを液晶表示器１３に表示させるものとしたので、書き込まれている吹鳴信号パターンや吹鳴速度、もしくは変更された吹鳴信号パターンや吹鳴速度等をリアルタイムで確認することができ、しかも汽笛を吹鳴させる吹鳴信号パターンや吹鳴速度の選択・設定、さらには吹鳴動作等の確認を容易に行うことができる。
【００１３】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１４】
以下図面を参照して本発明を実施するための最良の一形態を説明すると、図において示される符号１は、例えば汽笛、オシレータユニット、音響装置Ｐ等に接続して当該汽笛、オシレータユニット、音響装置Ｐ等から吹鳴信号を発信させるための発信装置である。この発信装置１は、音響装置Ｐを搭載した主として取締船に使用され、他船に対して、国際海事機関の採択した国際信号書に規定する音響信号等を自動で発信するためのものであり、また、音響装置Ｐとしては例えば発振器、増幅器およびホーンユニットを一体化して成る電子ホーン等である。
【００１５】
発信装置１は、図１に示すように、電源スイッチ１２、パターン選択スイッチ５Ａ、速度設定スイッチ５Ｂ、単発動作スイッチ、連続動作スイッチ、液晶表示器１３、調光器１４、シリアル通信コネクタ１０、ヒューズ１５それぞれを備えたハンデイータイプのボックス体によって構成され、発信装置１のシリアル通信コネクタ１０を外部端末１７に接続して吹鳴信号パターンのデータを当該発信装置１に書き込み可能となるようにしてある。また発信装置１は、短音を１秒以下で使用することを前提に設計してあり、本実施の形態においては電子ホーン以外の汽笛への使用が不可能となるように構成されている。
【００１６】
また、発信装置１の内部回路構成は、図２に示すように、発信装置１全体の機能を集約して制御するＣＰＵ制御部２を備え、このＣＰＵ制御部２にデータ通信入出力部３を介してシリアル通信コネクタ１０に接続されている。また、シリアル通信コネクタ１０はシリアル通信ケーブル１６によってパーソナルコンピュータ（パソコン）等の外部端末１７に接続され、データ設定・書き込みプログラム（ソフト）のインストールによって書き込まれたパーソナルコンピュータ内の吹鳴信号パターンのデータをデータ通信入出力部３を通じてＣＰＵ制御部２に送ると同時に、当該吹鳴信号パターンのデータを、ＣＰＵ制御部２に接続されているデータ記憶部４に記憶格納できるようにしてある。
【００１７】
そして、ＣＰＵ制御部２には、液晶表示器１３を動作させる表示部７が備わっており、吹鳴信号パターンのデータをデータ記憶部４に記憶格納した際には、このデータを必要に応じて液晶表示器１３に表示させるようにしてある。また、パターン選択スイッチ５Ａ、速度設定スイッチ５Ｂ、単発動作スイッチ、連続動作スイッチ等の動作のためのパネル面スイッチ入力部５と、調光器１４を動作させるパネル面ランプ出力部８および輝度調整部９それぞれが接続されている。さらにＣＰＵ制御部２には接点出力部６が接続されており、パネル面スイッチ入力部５の動作によって、データ記憶部４に記憶格納されている吹鳴信号パターンのデータをＣＰＵ制御部２から接点出力部６に送り、端子１〜５に端子接続用電線１８を介して接続された電子ホーン等の音響装置Ｐから当該吹鳴信号パターンに応じた吹鳴信号を発信するようにしてある。また、発信回路内には各回路に接続されている定電圧電源回路部１１が内蔵されており、定電圧電源回路部１１から各回路側へ電源を供給するようにしてある。
【００１８】
この吹鳴信号パターンのデータは、データ設定・書き込みプログラムをパーソナルコンピュータにインストールして使用するものであり、使用する吹鳴信号は最大で例えば１０パターンまで登録・書き込み可能としてある。そして、使用に際し、この発信装置１を操船席近傍の壁面等に取り付けて使用したり、あるいはこの発信装置１自体を操船席やその近傍の座席に座っている乗組員の手に直接持って使用したりするものである（図３参照）。尚、吹鳴信号パターンは発信装置１の出荷時に標準的なものは予じめ書き込まれており、またデータ設定・書き込みプログラムにも既に作成されたものが登録されているも、これは任意である。。
【００１９】
電源スイッチ１２は、発信装置１の電源のオン・オフを行うもので、電源をオンにすると、発信装置１に例えば吹鳴信号パターンとしてパターン１である「あなたはすぐに停船されたい」という意味の国際信号書規定の文章名「Ｌ」を書き込んである場合には、「Ｐ−０１[Ｌ]」、「ソクド[１．０]」と液晶表示器１３に表示されるものとしてある。
【００２０】
パターン選択スイッチ５Ａは照光式となっていて、発信装置１に書き込んでいる１から１０までのパターンを選択するものである。すなわち、パターン選択スイッチ５Ａを押す毎に、吹鳴信号パターンの「Ｐ−０１」から「Ｐ−１０」までをカウントダウンして液晶表示器１３に表示され、「Ｐ−１０」が表示されているときにパターン選択スイッチ５Ａを押すと「Ｐ−０１」に戻って表示されるようにしてある。
【００２１】
速度設定スイッチ５Ｂは汽笛の吹鳴・休止時間を設定するもので、照光式となっている。例えば時間が１秒の「１．０」、０．５秒の「０．５」、０．３秒の「０．３」の３種類が選択できるようにしてあり、速度設定スイッチ５Ｂを押す毎に、液晶表示器１３に表示される速度の表示が「ソクド[１．０］」、「ソクド[０．５］」、「ソクド[０．３]」とカウントダウンして液晶表示器１３に表示され、「ソクド[０．３]」が表示されているときに速度設定スイッチ５Ｂを押すと「ソクド[１．０］」に戻って表示されるようにしてある。
【００２２】
また、発信装置１の速度設定と、データ設定・書き込みプログラムの吹鳴・休止時間データとの関係は、「ソフトデータ１」の場合、発信装置１の速度設定が０．３のとき実際の吹鳴・休止時間が０．３秒、発信装置１の速度設定が０．５のとき実際の吹鳴・休止時間が０．５秒、発信装置１の速度設定が１．０のとき実際の吹鳴・休止時間が１．０秒となる。また、「ソフトデータ３」の場合、発信装置１の速度設定が０．３のとき実際の吹鳴・休止時間が０．９秒、発信装置１の速度設定が０．５のとき実際の吹鳴・休止時間が１．５秒、発信装置１の速度設定が１．０のとき実際の吹鳴・休止時間が３．０秒となる。また、「ソフトデータ５」の場合、発信装置１の速度設定が０．３のとき実際の吹鳴・休止時間が１．５秒、発信装置１の速度設定が０．５のとき実際の吹鳴・休止時間が２．５秒、発信装置１の速度設定が１．０のとき実際の吹鳴・休止時間が５．０秒となる。また、「ソフトデータ７」の場合、発信装置１の速度設定が０．３のとき実際の吹鳴・休止時間が２．１秒、発信装置１の速度設定が０．５のとき実際の吹鳴・休止時間が３．５秒、発信装置１の速度設定が１．０のとき実際の吹鳴・休止時間が７．０秒となる。尚、これらの発信装置１の速度設定と、データ設定・書き込みプログラムの吹鳴・休止時間データとの関係等の表示は一例であり、これらに限定されないことは勿論である。
【００２３】
単発動作スイッチは、これを押すことでパターン選択スイッチ５Ａで選択した吹鳴信号を１サイクルだけ吹鳴した後、当該吹鳴が自動的に停止するようにしてあり、これもまた照光式となっている。また、吹鳴途中で吹鳴動作を停止するにはいずれかのスイッチを押すことで停止できるようにしてある。但し、実際の動作は、最後の休止時間までカウントした後に停止するようにしてある。
【００２４】
連続動作スイッチは、これを押すことでパターン選択スイッチ５Ａで選択した吹鳴信号を連続して吹鳴するようにしてあり、これもまた照光式となっている。また、吹鳴途中で吹鳴動作を停止するにはいずれかのスイッチを押すことで停止できるようにしてある。
【００２５】
液晶表示器１３は、発信装置１に書き込んである吹鳴信号パターンや吹鳴速度を表示するものとしてあり、図４に示すように、例えば吹鳴信号パターンとして「パターン１」である「あなたはすぐに停船されたい」という意味の国際信号書規定の文章名「Ｌ」と、吹鳴速度１．０とを書き込んである場合には、「Ｐ−０１[Ｌ]」、「ソクド[１．０]」と液晶表示器１３に表示されるものとしてある。また、吹鳴信号パターンとして「パターン２」である「貴船は停止されたい。私は貴船に乗ろうとしている」という意味の国際信号書規定の文章名「ＳＱ３」と、吹鳴速度０．５とを書き込んである場合には、「Ｐ−０２[ＳＱ３]」、「ソクド[０．５]」と液晶表示器１３に表示されるものとしてある。さらに、吹鳴信号パターンとして「パターン３」である「貴船は直ちに停船されたい。逃走したり、ボートを降ろしたり、無線を使用したりするな。従わなければ、貴船を砲撃する」という意味の国際信号書規定の文章名「ＳＮ」と、吹鳴速度０．３とを書き込んである場合には、「Ｐ−０３[ＳＮ]」、「ソクド[０．３]」と液晶表示器１３に表示されるものとしてある。
【００２６】
吹鳴信号パターンの作成には、図５に示すような英数字のモールス符号を使用している。音響信号に使用するモールス符号は、短符（短音）を１単位とした場合、長符（長音）は３単位に相当するものとしてある。また、１符号中の長符（長音）または短符（短音）の間隔は１単位、各符号間の間隔は３単位、各語または各符字間の間隔は７単位に相当するようにしてある。
【００２７】
調光器１４は、液晶表示器１３のバックライトとスイッチとを調光するものである。
【００２８】
シリアル通信コネクタ１０は、データ設定・書き込みプログラムで作成・編集した吹鳴信号パターンを発信装置１に書き込むときに、発信装置１とパーソナルコンピュータとを付属のシリアル通信ケーブルによって接続して吹鳴信号データを当該発信装置１に書き込むものである。
【００２９】
次に、図６に示すように、吹鳴信号のデータ設定・書き込みプログラムによる発信装置１の吹鳴信号パターンのデータ作成方法やデータ修正方法の一例について説明する。吹鳴信号パターンのデータは、データ設定・書き込みプログラムをパーソナルコンピュータにインストールして行う。尚、これらの手順は一例であって、これに限定されるものではない。
【００３０】
すなわちパーソナルコンピュータのオープニング画面の「ソフト開始」ボタンをクリックすると、図７に示すパターン選択画面に替わり、設定および書き込みを行うパターンを選択ボタンで選ぶ。
【００３１】
作成や編集するパターンを選択ボタンで選ぶと、図８に示すパターン選択画面に替わり、ここで吹鳴信号パターンを編集するよう、例えば吹鳴時間や休止時間等の変更を行う。すなわち、吹鳴オブジェクトには例えば０〜２５０までの半角数字の記入により吹鳴時間データを設定し、休止オブジェクトには例えば０〜２５０までの半角数字の入力記入により休止時間データを設定する。また、文章オブジェクトには作成した吹鳴信号パターンの名称もしくは意味を例えば５文字以内の半角英数字で記入する。ここで入力記入した名称は発信装置１の液晶表示器１３に表示される。また、ファイルロードボタンのクリック操作によってファイルに保存されている文章、吹鳴時間、休止時間等のデータがロードされる。このとき、メニューバーにはこのデータ設定・書き込みプログラムに予め用意されている吹鳴信号パターンを文章で表示されており、しかもここでのクリック操作によって文章を選択することができる。プリセットボタンのクリック操作によって、メニューバーで選択した吹鳴信号パターンの吹鳴時間と休止時間のデータがロードされる。
【００３２】
「パターン１」の休止時間の変更を例に説明すると。先ず、パターン選択画面で「パターン１」を選択する。次に、ファイルロードボタンをクリック操作する。「パターン１」には初期状態ではＬ信号（短音・長音・短音・短音）が書き込まれているため、画面は図９に示すようになる。例えば「休止４」の「７」を「３０」に変更してから設定ボタンをクリックすると、図１０のような画面となる。ここで確認ボタンをクリック操作すると確認画面にパターン１の矩形状の作成パターンが表示されるものとなり、ここでデータが正しいか否かを確認画面で確認しておく。データを変更する前の状態に戻るには、再度ファイルロードボタンをクリック操作すれば良い。また、データをロードする前の状態に戻るには、再設定ボタンをクリック操作すれば良い。特に問題が無ければ「確認ボタン」をクリック操作する。このときデータを保存するか保存しないかを確認してくるので、保存する場合には「はい」を、保存しない場合には「いいえ」をクリック操作する。ここでの保存で「はい」を選択すると引き続き発信装置１に書き込むか書き込まないかを確認してくるので発信装置１の書き込みへ進む。
【００３３】
「パターン１」のデータと「パターン２」のデータとを入れ替える等の吹鳴信号パターンの変更を行うに際し、例えば「パターン１」の「Ｌ信号」と「パターン２」の「ＳＱ３信号」の入れ替えを例に説明する。先ず、パターン選択画面で「パターン１」を選択する。次に、メニューバーで「ＳＱ３」を選択し、「プリセットボタン」をクリック操作する。「設定ボタン」をクリック操作すると、図１１に示す画面となる。ここで、吹鳴時間データと休止時間データの変更がある場合には、設定ボタンをクリックする前に変更を行う。特に問題が無ければ「確認ボタン」をクリック操作する。このときデータを保存するか保存しまいかを確認してくるので、保存する場合には「はい」を、保存しない場合には「いいえ」をクリック操作する。ここでの保存で「はい」を選択すると引き続き発信装置１に書き込むか書き込まないかを確認してくるので、書き込む場合には発信装置１の書き込みへ進めば良い。「パターン１」へ「ＳＱ３」信号を書き込んだ後、パターン選択画面に戻り、「パターン２」を選択する。次に、メニューバーで「Ｌ」を選択し、「プリセットボタン」をクリック操作する。このような手順で「パターン１」と「パターン２」が入れ替わることとなる。
【００３４】
また、吹鳴信号パターンを新規作成するには、例えば「パターン１」に新しく数字の「６」という吹鳴パターンを作成する場合を例に説明する。先ず、パターン選択画面で「パターン１」を選択する。次に、吹鳴時間データを決める。数字の「６」はモールス符号で長音・短音・短音・短音・短音なので、必要なデータは、短音の長さ、長音の長さ、音と音との休止時間、語句の終わりの休止時間（最後の休止時間）となる。先ず、短音を「１」とし、長音は短音の３倍の「３」とする。また音と音との休止時間は短音と同じ「１」とし、語句の終わりの休止時間は短音の７倍の「７」とする。こうして「吹鳴１」が「３」、「休止１」が「１」、「吹鳴２」が「１」、「休止２」が「１」、「吹鳴３」が「１」、「休止３」が「１」、「吹鳴４」が「１」、「休止４」が「１」、「吹鳴５」が「１」、「休止５」が「７」となる。このデータを各吹鳴オブジェクトに入力し、入力後は「設定ボタン」をクリック操作する。ここで「確認ボタン」をクリック操作すると、図１２に示すように、確認画面にパターン１の矩形状の作成パターンが表示され、これを確認する。特に問題が無ければ「確認ボタン」をクリック操作する。このときデータを保存するか保存しないかを確認してくるので、保存する場合には「はい」を、保存しない場合には「いいえ」をクリック操作する。ここでの保存で「はい」を選択すると引き続き発信装置１に書き込むか書き込まないかを確認してくるので、書き込む場合には発信装置１の書き込みへ進めば良い。
【００３５】
作成・編集した吹鳴信号パターンを保存した後に、このデータを発信装置１に書き込む。先ず、発信装置１のシリアル通信コネクタ１０をシリアル通信ケーブル１６によってパーソナルコンピュータの例えば開放されているＣＯＭポート１等に接続しておく。そして、発信装置１の電源をオンにして、発信装置１の動作を停止状態にしておく。図１３に示すように、画面の確認メッセージで、保存後の吹鳴信号パターンの書き込みを選択すると発信装置１への書き込みが開始される。このとき発信装置１の液晶表示器１３には「ツウシンチュウ」と表示される。このとき、吹鳴信号パターンのデータは、発信装置１のデータ通信入出力部３を通ってＣＰＵ制御部２に送られ、ここからデータ記憶部４へ記憶格納される。
【００３６】
発信装置１の使用に際し、発信装置１の電源をオンにするとパネル面ランプ出力部８が作動して液晶表示器１３に吹鳴信号パターンが表示される。このとき、例えば吹鳴信号パターンとして「パターン１」である「あなたはすぐに停船されたい」という意味の国際信号書規定の文章名「Ｌ」と、速度設定１．０が発信装置１に書き込んである場合には、「Ｐ−０１[Ｌ]」、「ソクド[１．０]」と液晶表示器１３に表示される。
【００３７】
発信装置１のパターン選択スイッチ５Ａによって、発信装置１に書き込んでいる１から１０までのパターンを選択する。このとき、パターン選択スイッチ５Ａを押す毎に、吹鳴信号パターンの「Ｐ−０１」から「Ｐ−１０」までをカウントダウンして液晶表示器１３に表示され、「Ｐ−１０」が表示されているときにパターン選択スイッチ５Ａを押すと「Ｐ−０１」に戻って表示される。
【００３８】
発信装置１の速度設定スイッチ５Ｂによって、吹鳴・休止時間を設定する。このとき、速度設定スイッチ５Ｂを押す毎に、液晶表示器１３に表示される速度の表示がソクド「[１．０］」、「ソクド[０．５］」、「ソクド[０．３]」とカウントダウンして液晶表示器１３に表示され、「ソクド[０．３]」が表示されているときに速度設定スイッチ５Ｂを押すと「ソクド[１．０］」に戻って表示される。
【００３９】
発信装置１の単発動作スイッチを押すことで、パターン選択スイッチ５Ａで選択した吹鳴信号を電子ホーンから１サイクルだけ吹鳴した後、当該吹鳴は自動的に停止する。また、連続動作スイッチを押すことで、パターン選択スイッチ５Ａで選択した吹鳴信号を電子ホーンから連続して吹鳴する。このとき吹鳴途中で吹鳴動作を停止するにはいずれかのスイッチを押すことで停止する。
【図面の簡単な説明】
【００４０】
【図１】本発明を実施するための最良の形態における発信装置を示すもので、（ａ）は正面図、（ｂ）は底面図である。
【図２】同じく発信装置の内部回路構成を示すブロック構成図である。
【図３】同じく発信装置の使用状態を示す斜視図である。
【図４】同じく吹鳴信号パターンの具体例を示す説明図である。
【図５】同じく音響信号に用いるモールス符号の具体例を示す説明図である。
【図６】同じく吹鳴信号パターンデータの作成・編集の流れを説明するフローチャート図である。
【図７】同じくパーソナルコンピュータにおける吹鳴信号パターンのパターン選択画面を示す画面図である。
【図８】同じくパーソナルコンピュータにおける吹鳴信号パターンの作成編集画面を示す画面図である。
【図９】同じくパーソナルコンピュータにおける吹鳴信号パターンのパターン１設定画面を示す画面図である。
【図１０】同じくパーソナルコンピュータにおける吹鳴信号パターンのパターン１の変更画面を示す画面図である。
【図１１】同じくパーソナルコンピュータにおける吹鳴信号パターンの確認画面を示す画面図である。
【図１２】同じくパーソナルコンピュータにおける吹鳴信号パターンの新規作成後の確認画面を示す画面図である。
【図１３】同じくパーソナルコンピュータにおける吹鳴信号パターンの発信装置への書き込みの確認メッセージを示す画面図である。
【符号の説明】
【００４１】
Ｐ…音響装置
１…発信装置                            ２…ＣＰＵ制御部
３…データ通信入出力部                  ４…データ記憶部
５…パネル面スイッチ入力部              ５Ａ…パターン選択スイッチ
５Ｂ…速度設定スイッチ                  ５Ｃ…単発吹鳴動作スイッチ
５Ｄ…連続吹鳴動作スイッチ              ６…接点出力部
７…表示部                              ８…パネル面ランプ出力部
９…輝度調整部                          １０…シリアル通信コネクタ
１１…定電圧電源回路部                  １２…電源スイッチ
１３…液晶表示器                        １４…調光器
１５…ヒューズ                          １６…シリアル通信ケーブル
１７…外部端末                          １８…端子接続用電線
【図１】
2006151012.tif 000003
【図２】
2006151012.tif 000004
【図３】
2006151012.tif 000005
【図４】
2006151012.tif 000006
【図５】
2006151012.tif 000007
【図６】
2006151012.tif 000008
【図７】
2006151012.tif 000009
【図８】
2006151012.tif 000010
【図９】
2006151012.tif 000011
【図１０】
2006151012.tif 000012
【図１１】
2006151012.tif 000013
【図１２】
2006151012.tif 000014
【図１３】
2006151012.tif 000015